(57)【要約】【課題】通信装置の設置場所の変更あるいは保守点検等に際し、伝送路の接続替えを行うときに、この伝送路を用いて行われる通信を中断させることなく、また、通信品質を低下させることなく、さらに、誤接続を回避する。【解決手段】伝送路の使用状態および接続替え実行状態および伝送路接続先管理データを検出して表示し、作業者は、これを確認しながらコマンドを入力することにより的確に作業を進める。また、手作業では不可能な伝送路の瞬時切替えを自動的に行う。【選択図】  図１
2004343204.tif 000002
【特許請求の範囲】
【請求項１】
分岐された伝送路の片方または双方と分岐元の伝送路とを相互に接断する手段を備え、
この接断する手段は、コマンドにしたがって前記分岐された伝送路の一方に接続された前記分岐元の伝送路を前記分岐された伝送路の他方に切替接続する手段を含み、
前記分岐された伝送路の一方および他方と前記分岐元の伝送路との接断状態を検出して表示する手段と、
前記切替接続する手段の切替実行状態を検出して表示する手段と、
前記分岐された伝送路の一方および他方の接続先を検出して表示する手段と
を備えたことを特徴とする伝送路切替装置。
【請求項２】
分岐された伝送路の双方がそれぞれ接続替え元の装置に接続され、この分岐された伝送路の双方が分岐元の伝送路と接続されているときには、この分岐された伝送路のいずれか一方と分岐元の伝送路との接続を断ち、この接続を断った前記分岐された伝送路の一方を接続替え元の装置から切り離して接続替え先の装置に接続し、接続替え元の装置に接続されている前記分岐された伝送路の他方と前記分岐元の伝送路との接続をコマンドにしたがって接続替え先の装置に接続されている前記分岐された伝送路の一方との接続に瞬時に切替え、接続替え元の装置に接続されている前記分岐された伝送路の他方を切り離してこの伝送路を接続替え先の装置に前記分岐された伝送路の一方とともに接続することを特徴とする伝送路接続替え方法。
【請求項３】
前記接続替え先の装置に接続された前記分岐された伝送路の一方および他方と前記分岐元の伝送路とを接続する請求項２記載の伝送路接続替え方法。
【発明の詳細な説明】
【０００１】
【発明の属する技術分野】
本発明は、通信装置の設置場所の変更あるいは保守点検等に際し、伝送路をこれまで接続されていた装置から他の装置に接続替えする作業者による作業に利用する。
【０００２】
【従来の技術】
通信装置の設置場所の変更あるいは保守点検等に際し、伝送路をこれまで接続されていた装置から他の装置に接続替えする作業が行われる。この従来例を図８を参照して説明する。図８（ａ）に示す装置６と装置２との間の伝送路１３を装置２から装置４に接続替えする場合には、図８（ｂ）に示すように、作業者が一時的に装置２および４の双方から伝送路１３を切り離し、図８（ｃ）に示すように、装置６と装置４とを伝送路１３により接続する。
【０００３】
【発明が解決しようとする課題】
このような従来の接続替え方法における問題点を図８ないし図１０を参照して説明する。接続替えに際し、図８に示すように、一時的に装置２および４の双方から伝送路１３を切り離す場合には、伝送路１３を用いて行われている通信が一時的に中断される。また、図９（ａ）に示すように、複数の装置が設置されている場合には、図９（ｂ）に示すように、本来、接続替えされるべき装置４とは異なる装置５１に誤って接続替えしてしまう事態も起こり得る。
【０００４】
また、通信の中断を回避するために、図１０に示すように、一時的に双方の装置２および４を二つの伝送路１３−１および１３−２により装置６と接続することも考えられるが、例えば、信号が宛先１５に到達する二つの経路の伝送遅延量ｄ１およびｄ２が相互に異なる場合には（ｄ１≠ｄ２）、宛先１５に同一の信号が異なる遅延量で到達し、通信品質を著しく低下させることもあり望ましくない。
【０００５】
本発明は、このような背景に行われたものであって、通信装置の設置場所の変更あるいは保守点検等に際し、伝送路の接続替えを行うときに、この伝送路を用いて行われる通信を中断させることなく、また、通信品質を低下させることなく、さらに、誤接続を回避することができる伝送路制御装置を提供することを目的とする。
【０００６】
【課題を解決するための手段】
本発明は、通信装置の設置場所の変更あるいは保守点検等に際し、装置の接続替えに伴う通信の中断を回避するとともに、作業者の誤接続を回避するための伝送路切替装置および伝送路接続替え方法であり、伝送路の使用状態および接続替え実行状態および伝送路接続先管理データを検出して表示し、作業者は、これを確認しながらコマンドを入力することにより的確に作業を進めることができる。また、手作業では不可能な伝送路の瞬時切替えを自動的に行うことができる。
【０００７】
これにより、作業者は、接続替え先の装置を誤ることなく接続替え作業を行うことができる。また、接続替え元の装置と接続替え先の装置との双方に、あらかじめ伝送路を接続しておき、この伝送路を瞬時に切替えることにより、通信を中断させることなく、また、その通信品質を低下させることなく、接続替え作業を行うことができる。
【０００８】
すなわち、本発明の第一の観点は伝送路切替装置であって、本発明の特徴とするところは、分岐された伝送路の片方または双方と分岐元の伝送路とを相互に接断する手段を備え、この接断する手段は、コマンドにしたがって前記分岐された伝送路の一方に接続された前記分岐元の伝送路を前記分岐された伝送路の他方に切替接続する手段を含み、前記分岐された伝送路の一方および他方と前記分岐元の伝送路との接断状態を検出して表示する手段と、前記切替接続する手段の切替実行状態を検出して表示する手段と、前記分岐された伝送路の一方および他方の接続先を検出して表示する手段とを備えたところにある。
【０００９】
本発明の第二の観点は伝送路接続替え方法であって、分岐された伝送路の双方がそれぞれ接続替え元の装置に接続され、この分岐された伝送路の双方が分岐元の伝送路と接続されているときには、この分岐された伝送路のいずれか一方と分岐元の伝送路との接続を断ち、この接続を断った前記分岐された伝送路の一方を接続替え元の装置から切り離して接続替え先の装置に接続し、接続替え元の装置に接続されている前記分岐された伝送路の他方と前記分岐元の伝送路との接続をコマンドにしたがって接続替え先の装置に接続されている前記分岐された伝送路の一方との接続に瞬時に切替え、接続替え元の装置に接続されている前記分岐された伝送路の他方を切り離してこの伝送路を接続替え先の装置に前記分岐された伝送路の一方とともに接続するところにある。
【００１０】
このとき、前記接続替え先の装置に接続された前記分岐された伝送路の一方および他方と前記分岐元の伝送路とを接続するようにすることがよい。
【００１１】
【発明の実施の形態】
本発明実施例の伝送路切替装置の構成を図１を参照して説明する。図１は本発明実施例の伝送路切替装置の要部ブロック構成図である。図１では装置６が伝送路６０により伝送路切替装置１に接続され、伝送路切替装置１は装置２に二重化された伝送路３により接続されている。すなわち、伝送路６０は伝送路接続部５により伝送路３１および３２に分岐されている。
【００１２】
本発明は伝送路切替装置であって、本発明の特徴とするところは、伝送路３１および３２と伝送路６０とを相互に接断する手段である伝送路接続部５を備え、この伝送路接続部５は、入力部９から入力されるコマンドにしたがって制御部８の制御により伝送路３２に接続された伝送路６０を伝送路３１に切替接続し、さらに、制御部８は、伝送路３１および３２と伝送路６０との接断状態を検出して表示部１０に表示し、また、伝送路接続部５の切替実行状態を検出して表示部１０に表示し、伝送路３１および３２の接続先を検出して表示部１０に表示するところにある。
【００１３】
伝送路接続部５は、スイッチ部５−１および５−２を備えており、このスイッチ部５−１および５−２はそれぞれ独立して伝送路３２および３１を接断することができる。
【００１４】
次に、本発明実施例の接続替え方法を説明する。本発明の接続替え方法は、伝送路３１および３２の双方がそれぞれ接続替え元の装置２に接続され、この伝送路３１および３２の双方が伝送路６０と接続されているときには、この伝送路３１と伝送路６０との接続を断ち、この接続を断った伝送路３１を接続替え元の装置２から切り離して接続替え先の装置４に接続し、接続替え元の装置２に接続されている伝送路３２と伝送路６０との接続をコマンドにしたがって接続替え先の装置４に接続されている伝送路３１との接続に瞬時に切替え、接続替え元の装置２に接続されている伝送路３２を切り離してこの伝送路３２を接続替え先の装置４に伝送路３１とともに接続することを特徴とする。さらに、接続替え先の装置４に接続された伝送路３１および３２と伝送路６０とを接続する。
【００１５】
以下では、本発明実施例の伝送路切替装置を用いた接続替え方法をさらに詳細に説明する。図２〜図５は伝送路と各装置の物理的な接続を示している。また、図６は本発明実施例の伝送路切替装置１の制御部８の動作および表示部１０の表示内容を説明するための図であり、図２〜図５における伝送路管理状態▲１▼、接続替え実行状態▲２▼および伝送路接続先管理データ▲３▼を示している。
【００１６】
伝送路３１および３２の接続替えを行う場合に、伝送路切替装置１、伝送路、６０、３１および３２および対向する装置６の物理的な接続関係は、図２→図３→図４→図５のように変化する。
【００１７】
制御部８は、図２〜図５に示すような物理的な接続状態を図６における伝送路管理状態▲１▼のフローによって伝送路３１および３２のどちら側の系がＡＣＴ（運用中）状態でどちら側の系がＯＵＳ（故障中）なのかという検出を行い、ＯＵＳ側の伝送路の監視を行わないことにより、接続替え時に伝送路３１または３２を物理的に切り離してもシステム全体に問題の無い状態であることを検出している。さらに、この検出結果は表示部１０に作業者が目視確認できるように表示される。
【００１８】
また、制御部８は、図６における接続替え実行状態▲２▼のフローによって現在の接続替え実行状態がどこまで進んでいるかを検出している。この検出結果は表示部１０に作業者が目視確認できるように表示される。さらに、制御部８は、この接続替え実行状態の進行に伴う伝送路接続先管理データ▲３▼を収集し、この収集結果は表示部１０に作業者が目視確認できるように表示される。なお、伝送路接続先管理データ▲３▼は、装置２および４から周期的に送信される装置識別符号を伝送路３（伝送路３１、３２）を介して受信することによって収集する。
【００１９】
次に、図２〜図６を参照して本発明実施例の動作を説明する。まず、図６に示すように、作業者は入力部９を操作し、外部からのコマンドにより伝送路管理状態▲１▼のフローを状態１１から状態１２のＡＣＴ／ＯＵＳ状態（片側：１系が故障中状態）としておく。この状態は、図２における伝送路３１が、監視機能から除外されている状態を意味している。
【００２０】
ここで、作業者は入力部９を操作し、外部からのコマンドにより接続替え実行状態▲２▼のフローを状態２１から状態２２へ遷移させる。このとき、伝送路接続先管理データ▲３▼としては、データ７２のように０系が装置２、１系が装置４に接続されているデータを保持する。図２における伝送路３１を図３に示すように装置４の伝送路接続部４１に接続替えを行う。
【００２１】
次に、作業者は入力部９を操作し、外部からのコマンドにより図６の接続替え実行状態▲２▼のフローを伝送路切替え状態２３へ遷移させる。このとき、接続替え実行状態▲２▼のフローを実行している制御部８は伝送路管理状態▲１▼のフローに対し、伝送路３１および３２のＡＣＴ系とＯＵＳ系の切替えを指示する。このとき、伝送路接続先管理データ▲３▼は、データ７３のように保持される。これにより、伝送路管理状態▲１▼のフローは状態１３へ状態遷移すると同時に、伝送路接続部５のスイッチ部５−１および５−２に指示を行い、図４に示すように、伝送路の物理的な接続状態の切替えを行う。
【００２２】
最後に、作業者は入力部９を操作し、外部からのコマンドにより、図６における接続替え実行状態▲２▼のフローを通常状態である状態２１の状態へ遷移させる。このとき、伝送路接続先管理データ▲３▼は、データ７４のように保持される。
【００２３】
また、伝送路管理状態▲１▼のフローについても外部からのコマンドにより状態１１へ遷移させる。ただし、このときの０系と１系との関係は、図５に示すように、０系がＨ−ＳＢＹ（運用状態の予備）であり、１系がＡＣＴ状態となる。
【００２４】
また、図７に示すように、伝送路３１および３２の接続替え順序は、伝送路３１が先でも、伝送路３２が先でもよい。また、以上では、伝送路切替装置１が装置２および４を対象とし、伝送路接続替えをする例を説明したが、伝送路切替装置１が装置６および７を対象とし、伝送路接続替えをする場合にも同様に説明することができる。この場合には、伝送路６０は伝送路３と同様に、二重化された伝送路とする。すなわち、伝送路切替装置１に接続されている装置であれば、伝送路の上り、下りに関係無く接続替えを行うことができる。
【００２５】
【発明の効果】
以上説明したように、本発明によれば、通信装置の設置場所の変更あるいは保守点検等に際し、伝送路の接続替えを行うときに、この伝送路を用いて行われる通信を中断させることなく、また、通信品質を低下させることなく、さらに、誤接続を回避することができる。
【図面の簡単な説明】
【図１】本発明実施例の伝送路切替装置の要部ブロック構成図。
【図２】伝送路と各装置の物理的な接続を示す図。
【図３】伝送路と各装置の物理的な接続を示す図。
【図４】伝送路と各装置の物理的な接続を示す図。
【図５】伝送路と各装置の物理的な接続を示す図。
【図６】本発明実施例の伝送路切替装置の制御部の動作および表示部の表示内容を説明するための図。
【図７】本発明実施例を補足説明するための図。
【図８】従来の接続替え手順を説明するための図。
【図９】従来の問題点を説明するための図。
【図１０】従来の問題点を説明するための図。
【符号の説明】
１  伝送路切替装置
２、４、６、７、５１  装置
３、１３、３１、３２、６０  伝送路
５、４１  伝送路接続部
５−１、５−２  スイッチ部
８  制御部
９  入力部
１０  表示部
１１〜１３、２１〜２３  状態
１５  宛先
７１〜７４  データ
【図１】
2004343204.tif 000003
【図２】
2004343204.tif 000004
【図３】
2004343204.tif 000005
【図４】
2004343204.tif 000006
【図５】
2004343204.tif 000007
【図６】
2004343204.tif 000008
【図７】
2004343204.tif 000009
【図８】
2004343204.tif 000010
【図９】
2004343204.tif 000011
【図１０】
2004343204.tif 000012